(57)【要約】      （修正有）【課題】複数の種類の厚さの遮光板に対応可能な結像レンズを提供する。【解決手段】結像レンズは、少なくとも２枚のレンズ３と、鏡筒１と、遮光板２とを備え、鏡筒１は、光透過孔を形成する第１の筒壁と、第１の筒壁から屈曲して延伸する第２の筒壁とを備え、鏡筒１と遮光板２とを組み立てる時に、遮光板２を回転させ、遮光板２における係合溝を異なる高さのボスと係合させるように選択し、それにより、遮光板２における係合溝と隣接するレンズ３との間の空間間隔を変更し、さらに、遮光板２と第１の筒壁の側に位置する隣接するレンズ３との間の空気間隔を変更する。【選択図】図１
2018097335.tif 000002
【特許請求の範囲】
【請求項１】
少なくとも２枚のレンズを有するレンズ組と、鏡筒と、任意の２枚の隣接するレンズの間に設けられる遮光板とを備え、前記鏡筒は、光透過孔を形成する第１の筒壁と、前記第１の筒壁から屈曲して延伸する第２の筒壁とを備え、前記鏡筒は、内壁と前記内壁に対応する外壁とを備える結像レンズであって、
前記第２の筒壁の内壁には、Ｎ個の係合部位が環状に設けられ、各係合部位が前記内壁に等距離で設けられるＭ個のボスを備え、且つ前記Ｎと前記Ｍとが何れも１より大きい自然数であり、
前記ボスにおける前記第１の筒壁に向く側は、支持面であり、且つ同一の係合部位における各ボスの水平高さは同じであるが、他の係合部位におけるボスの水平高さとは異なり、
前記遮光板には、任意の１つの係合部位における各ボスに同時に係合するためのＭ個の係合溝、及び他の係合部位の各ボスを収容するための空き回避溝が等距離で環状に設けられ、かつ前記遮光板と前記第１の筒壁の側に位置する隣接するレンズとの間には間隔が存在していることを特徴とする結像レンズ。
【請求項２】
前記ボスと前記鏡筒とは、一体成形することを特徴とする請求項１に記載の結像レンズ。
【請求項３】
前記支持面は、水平面であることを特徴とする請求項２に記載の結像レンズ。
【請求項４】
前記空き回避溝の深度は、前記ボスの最大高度より大きいことを特徴とする請求項１に記載の結像レンズ。
【請求項５】
前記係合溝の深度は、前記ボスの最小高度より小さいことを特徴とする請求項１に記載の結像レンズ。
【請求項６】
前記遮光板における前記第１の筒壁の側に向く隣接するレンズと前記鏡筒とは、接着剤塗布により固定されることを特徴とする請求項１に記載の結像レンズ。
【発明の詳細な説明】
【技術分野】
【０００１】
本発明は光学素子に関し、具体的には、携帯型電子装置に用いる結像レンズに関する。
【背景技術】
【０００２】
近年、例えば、インテリジェント電子装置、タブレットＰＣなどの携帯型電子装置は、快速に発展して、現代人の生活によく見られており、それに伴って、携帯型電子装置に搭載する結像レンズモジュールも活発に発展している。科学技術の進歩に伴って、使用者のレンズの結像品質に対する要求は、ますます高くなっている。
【０００３】
遮光板は、結像レンズによく用いられる光学素子として、外部光線が結像レンズに入った時に、レンズ組に設けられる遮光板により迷光を阻止し、吸収することができ、かつ、遮光板に隣接する２枚のレンズは、遮光板の阻隔により、２枚のレンズの間の距離が遮光板により調整されることができる。従来技術において、上記の２枚のレンズは、実際の状況に応じて、異なる間隔距離に設けられる必要があるため、厚さが異なる遮光板を選択する。このような方法では、遮光板が複数の種類の厚さに設計されレンズの要求を満足しなければならないため、遮光板の適用範囲は制限がある。
【０００４】
そのため、隣接する２枚のレンズに取り付けられた遮光板が如何に複数の種類の距離間隔の要求を満足するかというのは、注目されている。
【発明の概要】
【発明が解決しようとする課題】
【０００５】
本発明は、従来技術における欠点を解消するために、結像レンズを提供している。当該結像レンズの内壁には、複数組の水平高さが異なるボスが設けられ、係合溝が鏡筒内のボスに嵌合することにより、遮光板に隣接する２枚のレンズの空間間隔を変更する。
【課題を解決するための手段】
【０００６】
上記の目的を実現するために、本発明は、結像レンズを提供している。その結像レンズは、少なくとも２枚のレンズを有するレンズ組と、鏡筒と、任意の２枚の隣接するレンズの間に設けられる遮光板とを備え、前記鏡筒は、光透過孔を形成する第１の筒壁と、前記第１の筒壁から屈曲して延伸する第２の筒壁とを備え、前記鏡筒は、内壁及び前記内壁に対応する外壁を備え、前記第２の筒壁の内壁にはＮ個の係合部位が環状に設けられ、各係合部位が前記内壁に等距離で設けられるＭ個のボスを備え、前記Ｎと前記Ｍとが何れも１より大きい自然数である。
【０００７】
前記ボスにおける前記第１の筒壁に向く側は支持面であり、かつ同一の係合部位における各ボスの水平高さは同じであるが、他の係合部位におけるボスの水平の高さとは異なる。
【０００８】
前記遮光板には、任意の１つの係合部位における各ボスに同時に係合するためのＭ個の係合溝、及び他の係合部位の各ボスを収容するための空き回避溝は等距離で環状に設けられ、かつ前記遮光板と前記第１の筒壁の側に位置する隣接するレンズとの間には間隔が存在している。
【発明の効果】
【０００９】
本実施形態は、従来技術に比べて、鏡筒の内壁には、複数組のボスが等距離で環状に設けられ、ボスにおける第１の筒壁に向く側が支持面であり、かつ同一組のボスの支持面の水平高さが同じであると共に、他の組のボスの支持面の水平高さとが異なり、遮光板には、１組の係合溝、複数組の空き回避溝が等距離で環状に設けられ、各係合溝が任意の１組の各ボスと同時に相互に係合することができ、各空き回避溝が他の組のボスを収容するものであり、ここで、遮光板と第１の筒壁の側に位置する隣接するレンズとが隔てられ、両者が接触せず、両者の中間には隙間が存在している。それにより、遮光板と鏡筒とを組み立てる時に、遮光板を回転させ、遮光板における係合溝を異なる高さのボスと係合させるように選択し、それにより、遮光板における係合溝と隣接するレンズとの間の空間間隔を変更し、さらに、遮光板と第１の筒壁の側に位置する隣接するレンズとの間の空気間隔を変更する。本発明は、構成が簡単で、実現し易く、かつ、複数の種類の厚さの遮光板を設計する必要がなく、適用範囲が広く、設計コストを減少した。
【００１０】
さらに、前記ボスと前記鏡筒とは一体成形する。それにより、鏡筒の製造の便利性を保証できる。
【００１１】
さらに、前記支持面は水平面である。ボスと係合溝との作用面の面積をできるだけ増加することで、遮光板が安定な支持強度を保つできる。
【００１２】
さらに、前記空き回避溝の深度は、前記ボスの最大高度より大きい。さらに、ボスの支持面が空き回避溝の溝底に接触しないように保証する。
【００１３】
さらに、前記係合溝の深度は、前記ボスの最小高度より小さい。これだけで、ボスが係合溝に嵌め込まれる時に、ボスの支持面が係合溝の溝底に接触するように保証でき、それにより、係合溝とボスとの相互作用を保証できる。
【００１４】
さらに、前記遮光板における前記第１の筒壁の側に向く隣接するレンズと前記鏡筒とは、接着剤塗布により固定される。それにより、結像レンズの全体構造の安定性を向上させる。
【図面の簡単な説明】
【００１５】
【図１】図１は、本発明に係る第１の実施形態の結像レンズの構成を示す模式図である。
【図２】図２は、本発明に係る遮光板の構成を示す模式図である。
【図３】図３は、本発明に係る第１の実施形態の遮光板の鏡筒を示す断面図である。
【図４】図４は、本発明に係る第２の実施形態の鏡筒を示す模式図である。
【発明を実施するための形態】
【００１６】
本発明の目的、技術案及びメリットをより明瞭させるために、以下、図面を参照しながら、本発明の各実施形態を詳しく説明する。しかしながら、当業者は、本発明の各実施形態において、読者が本発明をよく理解するために、多くの技術細部を提出し、しかし、技術細部および以下の各実施形態に基づく各種変化及び修正が存在しなくとも、本発明の保護しようとする技術案を実現することもできる、と理解することができる。
【００１７】
本発明に係る第１の実施形態は、結像レンズに関し、図１、図２及び図３に示すように、その結像レンズは、少なくとも２枚のレンズを有するレンズ組３と、鏡筒１と、任意の２枚の隣接するレンズの間に設けられる遮光板２とを備える。レンズ組２は、複数のレンズを備え、本実施形態では、６枚のレンズを例として説明し、遮光板２は任意の２枚の隣接するレンズの間に設置され、即ち、遮光板２の両側の何れにもレンズが隣接している。
【００１８】
上記の鏡筒１は、光透過孔を形成する第１の筒壁１１と、第１の筒壁１１から屈曲して延伸する第２の筒壁１２とを備え、前記鏡筒１は、内壁１３及び内壁１３に対応する外壁１４とを備える。
【００１９】
内壁１３には複数組の係合部位が環状に設けられ、本実施形態では、３組の係合部位を例として説明する。各係合部位は、内壁１３に等距離で環状に設けられる２つのボス１５を備え、ボス１５における第１の筒壁１１方向に向く側は支持面である。好ましくは、支持面は１つの平面である。同一係合部位における各ボス１５の支持面は同一の水平高さにあり、且つ他の係合部位におけるボス１５の支持面の水平高さと異なり、即ち、鏡筒１における各組のボス１５の高さは唯一である。本実施形態において、各組のボス１５は、いずれも２つが設けられているが、他の実施形態において、任意の数量のボスが設けられてもよい。
【００２０】
また、ボス１５と嵌合するために、遮光板２には、２つの係合溝２１、４つの空き回避溝２２が等距離で環状に設けられ、係合溝２１と空き回避溝２２との数量は、ボス１５の数量によって決められ、特に、係合溝２１と空き回避溝２２との数量の合計が、少なくとも、ボス１５の数量に等しい。また、これらの２つの係合溝２１は、任意の１つの係合部位における各ボス１５とお互いに同時に嵌合し、各空き回避溝２２は他の組のボス１５を収容するものであり、遮光板２と鏡筒１とを組み立てる時に、遮光板２を回転させることにより、ボス１５を遮光板２における係合溝２１と空き回避溝２２に嵌め込む。
【００２１】
遮光板２と第１の筒壁１１の側に設けられた隣接するレンズとの間には、常に間隔が存在しており、本実施形態に係るレンズ組３では、６枚のレンズを例として説明し、遮光板２を組み立てる時に、遮光板２に隣接するのは第５のレンズと第６のレンズであり、遮光板２と第５枚のレンズとの間には間隔が存在している。
【００２２】
この空間間隔は、係合溝２１と、異なる水平高さのボス１５との嵌合に伴い変化し、即ち、ボス１５の水平高さが大きいほど、係合溝２１とボス１５とが嵌合した後に、遮光板２と第５枚のレンズとの距離が大きくなる。係合溝２１の深度はボス１５の最小高度より小さく、このように、ボス１５が係合溝２１に嵌め込まれる時に、ボス１５の支持面が係合溝２１の溝底に接触することを保証することができ、それにより、係合溝２１とボス１５との相互作用を保証することができる。
【００２３】
また、２つの係合溝２１は同一係合部位における２つの同じ水平高さのボス１５しか嵌合できず、他のボス１５は空き回避溝２２に収容される。全部の高さのボス１５が何れも空き回避溝２２に収容できるように、空き回避溝２２の深度をボス１５の最大高度より大きくする。このように、何れの組のボス１５が空き回避溝２２に嵌め込まれても、ボス１５の支持面が空き回避溝２２の溝底に接触しないように保証することができる。
【００２４】
また、本実施形態において、ボス１５と鏡筒１とは一体成形し、且つボス１５は、鏡筒１の内壁１３における段差に形成されているブロック状構造である。遮光板２は、その縁から遮光板２の中心軸へ凹むことにより切欠き２３を形成し、具体的には、遮光板２が鏡筒１に組み込まれる前に、遮光板２における第１の筒壁１１に向く側には、複数のレンズが既に取り付けられており、鏡筒１において、遮光板２における第１の筒壁１１に向く側の隣接するレンズと鏡筒１とは接着剤塗布により固定され、遮光板２を組み立てる時に、遮光板２と隣接するレンズとを隔てることをさらに確保するために、本実施形態では、第５枚のレンズが鏡筒１に組み込まれた後に、遮光板２と鏡筒１とに対して切欠き２３にて接着剤塗布することにより、遮光板２を鏡筒１に固定する。
【００２５】
本実施形態に係るレンズ組は、さらに、遮光板２の下側に設けられる第６のレンズを備え、第６のレンズの像側面にはプレスリングが設けられ、プレスリングは第６のレンズを鏡筒１に固定し、ここで、プレスリングと鏡筒１とは接着剤により固定されてもよく、プレスリングと鏡筒１とは締まり嵌めにより固定されてもよい。
【００２６】
以上のように、鏡筒１の内壁１３には、複数組のボス１５が等距離で環状に設けられ、ボス１５における第１の筒壁１１に向く側が支持面であり、且つ同一組のボス１５の支持面が同一水平面にあり、且つ他の組のボス１５の支持面の位置する水平面と相互に平行し、遮光板２には、１組の係合溝２１、複数組の空き回避溝２２が等距離で環状に設けられ、各係合溝２１が任意の１組の各ボス１５と同時に相互に係合することができ、各空き回避溝２２が他の組のボス１５を収容するものであり、ここで、遮光板と第１の筒壁の側に位置する隣接するレンズとが隔てられ、両者が接触せず、両者の中間には隙間が存在している。それにより、遮光板２と鏡筒１とを組み立てる時に、遮光板２を回転させ、遮光板２における係合溝２１を異なる高さのボス１５と係合させるように選択し、それにより、遮光板２における係合溝２１と隣接するレンズとの間の空間間隔を変更し、さらに、遮光板２と第１の筒壁１１の側に位置する隣接するレンズとの間の空間間隔を変更する。この設計は、構成が簡単で、実現し易く、かつ、複数の種類の厚さの遮光板２を設計する必要がなく、適用範囲が広く、設計コストを減少した。
【００２７】
本発明に係る第２の実施形態は、結像レンズに関し、第１の実施形態との主な差異は、第２の実施形態において、図４に示すように、ボス１５’は、鏡筒１’の内壁１３’から鏡筒１’の中心軸へ延伸して板状構造を形成する。
【００２８】
当業者にとっては、上記各実施形態が本発明を実現するための具体的な実施例であり、実際の応用において、形式及び細部に対して各種の変更を行うことができ、本発明の精神及び範囲を脱離することがしない。
【符号の説明】
【００２９】
１    鏡筒
２    遮光板
１１  第１の筒壁
１２  第２の筒壁
１３  内壁
１４  ボス
２１  係合溝
２２  空き回避溝
２３  切欠き
３    レンズ
１’  鏡筒
１４’ボス
１３’内壁
【図１】
2018097335.tif 000003
【図２】
2018097335.tif 000004
【図３】
2018097335.tif 000005
【図４】
2018097335.tif 000006